(57)【要約】  知的造影剤加温器および知的造影剤加温器を動作して使用するための方法について説明する。知的造影剤加温器は、造影剤加温器温度、仕様範囲外の造影剤加温器温度、造影剤の在庫、造影剤の有効期限、造影剤へのアクセスが認可された職員、ならびに、知的造影剤加温器に追加されたり知的造影剤加温器から除去されたりする造影剤と関連付けられた日付および時間など、知的造影剤加温器および知的造影剤加温器内に収容される造影剤ボトルに保管される造影剤と関連付けられた情報を監視するように構成された要素を含み得る。造影剤ボトルの有効期限を監視する方法は、造影剤ボトルにラベル付けするステップと、ラベルから情報を読み取ってコンピューティングデバイスに入力するステップとを含み得る。コンピューティングデバイスは、有効期限を監視し、造影剤ボトルの有効時間の閾値時間内にある現在の時間に応答して警報を生成するように構成することができる。
2016511028.tif 000002
【特許請求の範囲】
【請求項１】
中に保管される造影剤ボトルを温めるように構成された造影剤加温器であって、
前記造影剤加温器の温度を測定するように動作可能な温度センサと、
前記温度を監視するように構成された少なくとも１つのコンピューティングデバイスと動作可能に連通する通信ポートと
を備え、
警報事象は、許容可能な温度範囲外にある前記温度に応答して、前記少なくとも１つのコンピューティングデバイスによって生成される、造影剤加温器。
【請求項２】
前記警報事象の記録は、前記少なくとも１つのコンピューティングデバイス上のデータベースに格納される、請求項１に記載の造影剤加温器。
【請求項３】
造影剤情報は、前記少なくとも１つのコンピューティングデバイス上に格納された前記データベースに格納され、前記造影剤情報は、前記造影剤加温器に前記造影剤ボトルを保管する間に起こる前記警報事象と関連付けられた情報を含む、請求項２に記載の造影剤加温器。
【請求項４】
造影剤加温器に保管される造影剤ボトルの有効時間を監視する方法であって、
前記造影剤ボトルに造影剤ラベルを貼付するステップであって、前記造影剤ラベルは、前記造影剤ボトルの有効時間を含む、ステップと、
情報リーダを使用して、前記造影剤ラベルから前記有効時間を読み取るステップと、
前記造影剤加温器内に前記造影剤ボトルを置くステップと、
前記有効時間を受信するように構成された少なくとも１つのコンピューティングデバイスに前記情報リーダからの前記有効時間を伝達するステップと、
前記少なくとも１つのコンピューティングデバイスによって、前記有効時間の閾値時間内にある現在の時間に応答して警報事象を生成するステップと
を含む、方法。
【請求項５】
前記閾値時間は、少なくとも２４時間を含む、請求項４に記載の方法。
【請求項６】
造影剤ボトルの内容物を患者に注入するように構成された流体注入器と、
前記造影剤ボトルを保管して温めるように構成された加熱要素、
造影剤情報を有する造影剤ラベルから情報を読み取るように構成された情報リーダであって、前記造影剤ラベルは前記造影剤ボトルに貼付される、情報リーダ、および、
少なくとも１つのコンピューティングデバイスへの少なくとも前記情報の伝達を可能にするように構成された通信ポート
を備える、造影剤ホルダと
を備える造影剤加温器システムであって、
前記造影剤ホルダは、前記流体注入器と流体連通する、造影剤加温器システム。
【請求項７】
前記造影剤ホルダは、前記造影剤ボトルを保持するように構成されたボトルハンガを備える、請求項６に記載の造影剤加温器システム。
【請求項８】
前記造影剤ホルダは、内蔵レベルセンサを備える、請求項６に記載の造影剤加温器システム。
【請求項９】
前記造影剤ホルダは、温度センサを備える、請求項６に記載の造影剤加温器システム。
【請求項１０】
前記少なくとも１コンピューティングデバイスは、知的造影剤加温器を備えるネットワークを備える、請求項６に記載の造影剤加温器システム。
【発明の詳細な説明】
【技術分野】
【０００１】
造影剤は、ある医療処置の間に身体構造または流体のコントラストを高めるために患者に投与される。例えば、造影剤は、エックス線、コンピュータ断層撮影法（ＣＴ）、磁気共鳴映像法（ＭＲＩ）および超音波を含む画像診断手順や、血管形成術およびあるタイプの化学療法などの画像下治療法で使用される。造影剤の様々な形態および濃度が利用可能であり、処置のタイプや関心対象に基づいて選択される。例示される造影剤は、放射線画像法で一般的に使用されるバリウムおよびヨードベースの溶液を含む。造影剤は、経口摂取、手動注入または自動流体送達システム（例えば、注射器ポンプシステム）を含む様々な方法を通じて患者に送達することができる。
【背景技術】
【０００２】
あるタイプの造影剤は、造影剤が血液のものに近い温度および粘度に到達するように、一般的に造影剤加温器と呼ばれる加熱されたインキュベータ内で温められる。造影剤を保管したり温めたりする際は、ケアに関する製造業者の推奨事項および規制基準に従わなければならない。例えば、米国の病院によって最も一般的に使用される認定機関である医療施設認定合同審査会（「合同審査会」または「ＴＪＣ」）は、造影剤を温めるための以下の一連の規格を提供する：
造影剤加温器の温度は、製造業者の推奨事項に従って確立すべきである。加温器の温度の日々の監視および文書化が必要とされ、是正措置に対する適切な閾値をドキュメンテーションログに記入しなければならない。その温度が閾値限度を超える加温器は、是正措置について文書化しなければならず、その措置が有効であることを保証するため、１時間後に再検査を行うべきである。職員は、温めることで有効期限が変化し得ることに注意すべきである。造影剤は、通常、温めることで３０日間は安定している。
【０００３】
他の規格もまた、造影剤の保管および加温に適用可能である。例えば、ＴＪＣ規格は、認可された職員の造影剤へのアクセスを制限するためのガイドラインについても指定している。
【発明の概要】
【発明が解決しようとする課題】
【０００４】
一般に、従来の造影剤加温器は、伝統的な温度自動調節要素およびデジタル温度ディスプレイを使用して温度を維持する。したがって、従来の造影剤加温器は、所望の温度を設定する能力しか提供しない。それに加えて、造影剤へのアクセスは、基本的な機械的なロックメカニズムを使用して保護されている。それに従って、ケアに関する規制基準に従う造影剤の保管および加温は、手動かつ多大な労力を必要とするプロセスである。最終的に、造影剤の正しい保管および加温に費やされる時間や労力は、質の高い患者のケアの提供に使用できるであろうリソースを取り上げる。
【課題を解決するための手段】
【０００５】
一態様では、いくつかの実施形態は、知的造影剤加温器および知的造影剤加温器内に収容される造影剤ボトルに保管される造影剤と関連付けられた情報を監視するように構成された要素を含む、知的造影剤加温器を提供する。そのような情報の非限定的な例は、造影剤加温器温度、仕様範囲外の造影剤加温器温度、造影剤の在庫、造影剤の有効期限、造影剤へのアクセスが認可された職員、ならびに、知的造影剤加温器に追加されたり知的造影剤加温器から除去されたりする造影剤と関連付けられた日付および時間を含む。
【０００６】
別の態様では、いくつかの実施形態は、知的造影剤加温器ユーザインターフェースを提示するように構成された表示デバイスと通信可能に結合された知的造影剤加温器を含む。知的造影剤加温器ユーザインターフェースは、知的造影剤加温器およびそれと関連付けられた情報へのユーザアクセスを提供するように動作することができる。例えば、知的造影剤加温器ユーザインターフェースは、知的造影剤加温器をロック／アンロックするため、知的造影剤加温器に造影剤ボトルを追加するため、および、知的造影剤加温器からボトルを除去するためのユーザ名およびパスワードを提供するために使用することができる。
【０００７】
さらなる態様では、いくつかの実施形態は、造影剤ボトルにラベル付けするための１つまたは複数の造影剤ラベルと、１つまたは複数の造影剤ラベルと関連付けられた情報を入手するように構成された１つまたは複数の情報リーダとを含む。例えば、造影剤ラベルは、以下のタイプの造影剤ラベル、すなわち、テキストベースのもの、無線自動識別（ＲＦＩＤ）、バーコードおよびクイックレスポンス（ＱＲ）コード（登録商標）のうちの１つまたは複数でラベル付けすることができる。情報リーダは、造影剤ラベルを読み取るために使用することができる。例えば、以下の情報リーダ、すなわち、光学式文字認識（ＯＣＲ）リーダ、ＲＦＩＤリーダ、バーコードリーダおよびＱＲコードリーダのうちの１つまたは複数は、対応するタイプの造影剤ラベルに含まれる情報を読み取るために使用することができる。実施形態では、造影剤ラベルリーダは、知的造影剤加温器および／またはその態様（表示デバイスまたはコンピューティングデバイスを含む）と連通することができる。このように、造影剤ラベルと関連付けられた情報は、知的造影剤加温器および／またはそれと関連付けられたシステムに伝送することができる。
【０００８】
さらに、さらなる態様では、いくつかの実施形態は、知的造影剤加温器、知的造影剤加温器ユーザインターフェース、知的造影剤加温器と関連付けられた表示デバイスおよび／またはコンピューティングデバイスが知的造影剤加温器システムと連通することができると定めている。知的造影剤加温器システムは、知的造影剤加温器およびその中に保管される造影剤ボトルと関連付けられた情報を管理するようにいくつかの実施形態に従って構成することができる。例えば、知的造影剤加温器システムは、以下の、すなわち、知的造影剤加温器に追加されたり知的造影剤加温器から除去された造影剤ボトル、知的造影剤加温器に追加されたり知的造影剤加温器から除去されたボトルと関連付けられた職員、日付および時間、仕様範囲外の温度の発生、造影剤ボトルの有効期限、ならびに、造影剤ボトルの在庫のうちの１つまたは複数を含む情報を維持することができる。このように、職員は、中央のアクセスポイントから、知的造影剤加温器および知的造影剤加温器に保管される造影剤ボトルに関する情報を入手することができる。
【０００９】
実施形態では、造影剤加温器は、造影剤ボトルを保管するため、および、許容可能な温度範囲外にある温度に応答して警報を生成するため、その中に構成された保管空間の温度を監視するように動作可能であり、警報と関連付けられた情報は、少なくとも１つのコンピューティングデバイス上のデータベースに格納される。
【００１０】
実施形態では、造影剤加温器は、造影剤ボトルに貼付された造影剤ラベルの造影剤情報を読み取るように動作可能な情報リーダを備え得、造影剤情報は、有効時間を含み、情報リーダと連通するコンピューティングデバイスは、造影剤情報を受信したり、有効時間の閾値時間内にある現在の時間に応答して警報事象を生成したりするように構成される。
【００１１】
実施形態では、その中に保管される造影剤ボトルを温めるように構成された造影剤加温器は、造影剤加温器の温度を測定するように動作可能な温度センサと、温度を監視するように構成された少なくとも１つのコンピューティングデバイスと動作可能に連通する通信ポートとを備え得、警報事象は、許容可能な温度範囲外にある温度に応答して、少なくとも１つのコンピューティングデバイスによって生成される。
【００１２】
実施形態では、造影剤加温器に保管される造影剤ボトルの有効時間を監視する方法は、造影剤ボトルに造影剤ラベルを貼付するステップであって、造影剤ラベルは、造影剤ボトルの有効時間を含む、ステップと、情報リーダを使用して、造影剤ラベルから有効時間を読み取るステップと、造影剤加温器内に造影剤ボトルを置くステップと、有効時間を受信するように構成された少なくとも１つのコンピューティングデバイスにリーダからの有効時間を伝達するステップと、少なくとも１つのコンピューティングデバイスによって、有効時間の閾値時間内にある現在の時間に応答して警報事象を生成するステップとを含み得る。
【００１３】
実施形態では、造影剤加温器システムは、造影剤ボトルの内容物を患者に注入するように構成された流体注入器と、造影剤ボトルを保管して温めるように構成された加熱要素、造影剤情報を有する造影剤ラベルから情報を読み取るように構成された情報リーダであって、造影剤ラベルは造影剤ボトルに貼付される、情報リーダ、および、少なくとも１つのコンピューティングデバイスとの通信を提供するように構成された通信ポートを備える造影剤ホルダとを備え得、造影剤ホルダは、流体注入器と流体連通する。
【００１４】
前述の概要は、単なる例示であり、決して限定することを意図しない。上記で説明される例示される態様、実施形態および特徴に加えて、さらなる態様、実施形態および特徴は、図面や以下の詳細な説明を参照することによって明らかになるであろう。
【００１５】
以下の詳細な説明では、本明細書の一部を形成する添付の図面を参照する。図面では、同様の符号は、文脈上別段の定めがある場合を除き、通常、同様のコンポーネントを特定する。詳細な説明、図面および請求項で説明される例示される実施形態は、制限することを意図しない。本明細書で提示される主題の趣旨または範囲から逸脱することなく、他の実施形態を利用したり、他の変更を行ったりすることができる。本明細書で概して説明され、図に示される本開示の態様は、多種多様な異なる構成で、配置、置換、組合せ、分離および設計を行うことができ、それらはすべて、本明細書で明示的に企図されることが容易に理解されよう。
【図面の簡単な説明】
【００１６】
【図１】いくつかの実施形態による、例示される知的造影剤加温器システムについて描写する。
【図２】いくつかの実施形態に従って構成された例示される知的造影剤加温器について描写する。
【図３】いくつかの実施形態による、例示される造影剤ボトルラベルについて描写する。
【図４】いくつかの実施形態による、例示される知的造影剤加温器ユーザインターフェースについて描写する。
【図５】いくつかの実施形態による、知的造影剤加温器に造影剤ボトルを追加するための例示される方法のためのフロー図について描写する。
【図６】いくつかの実施形態による、知的造影剤加温器から造影剤ボトルを取り除くための例示される方法のためのフロー図について描写する。
【図７】いくつかの実施形態による、例示される造影剤ホルダについて描写する。
【図８】いくつかの実施形態による、例示されるコンピューティングデバイス内部のハードウェアについて描写する。
【発明を実施するための形態】
【００１７】
本明細書で使用されるように、単数形「ａ」、「ａｎ」および「ｔｈｅ」は、文脈上別段の明確な定めがある場合を除き、複数形の言及を含む。別段の定義がある場合を除き、本明細書で使用されるすべての技術および学術用語は、当業者によって一般的に理解されるものと同じ意味を有する。本明細書内のものはいずれも、本明細書で説明される実施形態が以前の発明によるそのような開示に先行する権利がないことを容認するものと解釈してはならない。
【００１８】
本開示は、説明される特定のシステム、デバイスおよび方法は変化し得るため、これらに限定されない。説明で使用される用語は、単に、特定のバージョンまたは実施形態について説明することを目的とし、範囲を制限することを意図しない。
【００１９】
本開示は、知的造影剤加温器システムを対象とする。知的造影剤加温器システムは、知的造影剤加温器およびその中に保管される造影剤と関連付けられた情報を受信、伝送および／または管理するように構成された１つまたは複数の電子デバイスに通信可能に接続されたボトルに保管される造影剤を温めるための造影剤加温器を含む。電子デバイスの例示される非限定的な例は、コンピューティングデバイス、プリンタ、ネットワーク、表示デバイスおよび／または情報リーダを含む。知的造影剤加温器システムは、造影剤加温器、造影剤および知的造影剤加温器システムと関連付けられた情報、アクセスおよび警告を提供するように構成することができる。例えば、知的造影剤加温器システムは、造影剤の在庫、造影剤の情報および造影剤の有効期限などの情報を提供することができる。また、知的造影剤加温器システムは、範囲外の温度状態、期限切れの造影剤および期限切れに近い造影剤、少ない在庫状態、ならびに、無許可のアクセスの試みなどのシステム警告も提供することができる。ユーザは、造影機能を通じて、造影剤加温器および造影剤を管理することができる。いくつかの実施形態によれば、造影機能は、造影剤加温器への造影剤の追加、造影剤加温器からの造影剤の除去、温度制御、および、他の情報システム（例えば、画像保管通信システム（ＰＡＣＳ：Ｐｉｃｔｕｒｅ  Ａｒｃｈｉｖｉｎｇ  ａｎｄ  Ｃｏｍｍｕｎｉｃａｔｉｏｎ  Ｓｙｓｔｅｍ））への情報伝送を含み得る。
【００２０】
図１は、いくつかの実施形態による、例示される知的造影剤加温器システムについて描写する。図１に示されるように、知的造影剤加温器システム１０５は、その中に保管される造影剤ボトル１５５の温度を維持するように構成された造影剤加温器１５０を含み得る。非限定的な例は、造影剤ボトル１５５に保管される造影剤を人体の血液に近い温度および粘度で維持するため、約３５℃〜約３７℃で温度を制御することができると定めている。温度は、１つまたは複数の温度センサ１６０によって測定および／または監視することができる。以下で説明される図２は、いくつかの実施形態に従って構成された造影剤加温器のさらなる詳細を提供する。
【００２１】
造影剤加温器１５０は、公知の通信方法に従って、１つまたは複数の通信ポート１６５を通じて、１つもしくは複数のネットワーク１２５および／または１つもしくは複数の電子デバイス１１０、１１５、１２０に接続することができる。通信ポート１６５を通じて利用可能な通信方法の例示される非限定的な例は、Ｅｔｈｅｒｎｅｔ（登録商標）、ワイヤレスプロトコル（例えば、ＷｉＦｉ８０２．１１ｇ、８０２．１１ｎなど）シリアル、ユニバーサルシリアルバス（ＵＳＢ）、パラレルポート、Ｂｌｕｅｔｏｏｔｈ（登録商標）、専用のデバイスプロトコル（例えば、バーコードリーダ、ＲＦＩＤリーダ、ＱＲコードリーダ、温度センサなど）を含む。例えば、造影剤加温器１５０は、以下の図４でさらに詳細に説明されるように、知的造影剤加温器ユーザインターフェースを提示するように動作可能な表示デバイス１１０に接続することができる。知的造影剤加温器ユーザインターフェースは、知的造影剤加温器と関連付けられた情報および機能を提供することができる。例えば、知的造影剤加温器ユーザインターフェースは、在庫、温度および造影剤有効期限情報を提供することができる。別の例では、知的造影剤加温器ユーザインターフェースは、造影剤ボトル１５５を追加したり取り除いたりするため、温度を調整するため、および、知的造影剤加温器のドアをロック／アンロックするための機能を提供することができる。実施形態では、表示デバイス１１０は、タッチスクリーン表示デバイスを含み得る。
【００２２】
図１に示されるように、知的造影剤加温器は、これらに限定されないが、ローカルエリアネットワーク（ＬＡＮ）、広域ネットワーク（ＷＡＮ）、ワイヤレスネットワークおよびそれらの組合せを含むネットワーク１２５と連通することができる。また、１つまたは複数のコンピューティングデバイスもまた、ネットワーク１２５に接続することができる。コンピューティングデバイスの例示される非限定的な例は、パーソナルコンピューティングデバイス１３０（例えば、ワークステーション）、サーバ１３５（例えば、データサーバ、ウェブサーバ、分散型コンピューティングシステム（例えば、クラウドコンピューティングシステム）および情報システム）、モバイルコンピューティングデバイス１４０（例えば、タブレットコンピューティングデバイスおよびスマートフォン）、および、医療デバイス１４５（造影剤注入器または造影剤ホルダなど（以下の図７で説明される））を含み得る。いくつかの実施形態によれば、サーバ１３５は、これらに限定されないが、ＰＡＣＳ、ヘルスケア情報管理システム（ＨＩＭＳ）、電子医療記録（ＥＭＲ）システム、放射線医学情報システム（ＲＩＳ）、造影剤情報管理システム、ならびに、医療画像処理および処置機器情報システム（例えば、造影剤注入システム）を含む情報システムの一部であり得る。いくつかの実施形態は、知的造影剤加温器、ネットワークおよび／または他の情報システムが様々な他の情報プラットホーム（Ｍｅｄｒａｄ，Ｉｎｃ．のＣｅｒｔｅｇｒａ（登録商標）インフォマティクスプラットホームなど）と連通することができると定めている。実施形態では、知的造影剤加温器と関連付けられた情報および活動のすべては、知的造影剤加温器システム１０５内に格納することができるデータベース（例えば、「ログ」）で維持することができる。情報および活動は、関連規則に従って格納することができる（例えば、医療施設認定合同審査会（「合同審査会」または「ＴＪＣ」）規格は、少なくとも３年間の温度ログの維持を要求する）。
【００２３】
１つまたは複数の情報リーダ１１５は、造影剤加温器１５０、１つもしくは複数のネットワーク１２５および／または１つもしくは複数の電子デバイス１１０、１２０と連通することができる。情報リーダ１１５は、造影剤ボトル１５５と関連付けられた情報を読み取るように構成することができる。例えば、各造影剤ボトル１５５は、１つまたは複数のラベルと関連付けることができる。ラベルの非限定的な例は、テキストベースのもの、ＲＦＩＤ、バーコード（一次元（１Ｄ）および／または二次元（２Ｄ））およびＱＲコードを含む。情報リーダ１１５は、対応するタイプのラベルと関連付けられた情報を読み取るように構成することができる。例えば、ある情報リーダ１１５は、ＲＦＩＤラベルを読み取るように構成されたＲＦＩＤリーダを含み得る。別の例では、ある情報リーダ１１５は、テキストベースのラベルをスキャンし、１つまたは複数の情報消費デバイス（例えば、知的造影剤加温器ユーザインターフェース）にテキスト情報を提供するように構成されたＯＣＲリーダを含み得る。いくつかの実施形態は、情報リーダ１１５によって読み取られた情報を造影剤加温器システム１０５内で伝送することができると定めている。例えば、画像診断検査がある患者による使用のために造影剤加温器１５０から除去されたボトル１５５からの情報は、知的造影剤加温器ユーザインターフェース１１０、ＰＡＣＳシステム、および、患者に造影剤を注入するために使用される造影剤注入器１４５に送信することができる。一般に、情報リーダ１１５によって入手された情報は、一般に、知的造影剤加温器システム１０５内における、情報の受信および取り扱いを行うように構成された電子デバイスおよびコンピューティングデバイスへの伝送に利用可能であり得る。
【００２４】
パーソナルコンピューティングデバイス１３０およびモバイルコンピューティングデバイス１４０は、知的造影剤加温器システム１０５内で、情報にアクセスし、機能を実行するために使用することができる。例えば、パーソナルコンピューティングデバイス１３０は、情報にアクセスし、知的造影剤加温器１５０と関連付けられた機能を実行するため、ユーザインターフェース（例えば、知的造影剤加温器ユーザインターフェース１１０と同様の）にアクセスするように構成することができる。このように、ユーザは、知的造影剤加温器１５０および／またはそれと関連付けられた知的造影剤加温器ユーザインターフェース１１０にリモートアクセスすることができる。
【００２５】
知的造影剤加温器ユーザインターフェース１１０は、情報にアクセスするためのユーザインターフェースを提供し、知的造影剤加温器１５０と関連付けられた機能を実行するようにいくつかの実施形態に従って構成することができる。いくつかの実施形態は、知的造影剤加温器ユーザインターフェース１１０をコンピューティングデバイスと動作可能に結合された表示デバイス上に提示することができると定めている。コンピューティングデバイスは、処理デバイスおよびメモリを含み得る。例示的な処理デバイス８０５およびメモリ８１５は、図８を参照して開示される。知的造影剤加温器ユーザインターフェース１１０は、知的造影剤加温器１５０と通信するため、または、知的造影剤加温器１５０と関連付けられた情報にアクセスするコンピューティングデバイスと通信するため、コンピューティングデバイス上で動作可能な１つまたは複数のソフトウェアアプリケーション（例えば、知的造影剤加温器ソフトウェアアプリケーション）と関連付けることができる。例えば、知的造影剤加温器１５０は、知的造影剤加温器１５０の温度を読み取るための１つまたは複数の温度要素と、知的造影剤加温器１５０のドアをロック／アンロックするように構成された電子ロック／アンロックメカニズムとを含み得る。知的造影剤加温器ユーザインターフェース１１０は、温度要素および電子ロック／アンロックメカニズムと関連付けられた情報および機能を提示することができる。
【００２６】
いくつかの実施形態によれば、ユーザは、知的造影剤加温器ユーザインターフェース１１０から、これらに限定されないが、造影剤加温器温度情報、範囲外の温度情報、造影剤ボトルの在庫情報、造影剤有効期限情報およびロック／アンロック情報を含む情報にアクセスすることができる。知的造影剤加温器ユーザインターフェース１１０は、いくつかの実施形態に従って構成された１つまたは複数の機能へのユーザアクセスを提供することができる。機能の非限定的な例は、知的造影剤加温器１０５の温度の増加または減少、知的造影剤加温器システム１０５へのログイン、造影剤ボトル１５５の追加、造影剤ボトル１５５の除去、在庫のチェック、有効期限のチェック、ラベルの印刷、知的造影剤加温器システム１０５内での情報の伝送、および、知的造影剤加温器１５０のコンポーネント（例えば、棚）の調整を含む。
【００２７】
実施形態は、以下の図３を参照してさらに詳細に説明されるように、造影剤ボトル１５５を１つまたは複数のラベルと関連付けることができると定めている。いくつかのラベルは、造影剤または造影剤ボトル１４５の製造業者および／または供給者が生成することができる。ラベルのいくつかは、知的造影剤加温器システム１０５内に配置された１つまたは複数のプリンタ１２０によって生成することができる。例えば、あるプリンタ１２０は、造影剤ボトル１４５に貼付することができるＲＦＩＤタグを印刷するように構成されたＲＦＩＤプリンタを含み得る。別の例では、あるプリンタ１２０は、テキストベースのラベルを印刷するように構成されたテキストベースのプリンタを含み得る。プリンタ１２０およびプリンタ１２０と関連付けられた機能は、知的造影剤加温器ユーザインターフェース１１０から、ネットワーク１２５上でおよびそれらの組合せで、アクセスすることができる。
【００２８】
図２は、いくつかの実施形態に従って構成された例示される知的造影剤加温器について描写する。図２に示されるように、知的造影剤加温器２０５は、造影剤ボトル２５５を支持するように構成された１つまたは複数の棚２３５（またはラック）を含み得る。いくつかの実施形態によれば、知的造影剤加温器２０５は、少なくとも５０の造影剤ボトル２５５を保持するように構成することができる。棚２３５の位置は、例えば、知的造影剤加温器ユーザインターフェース（例えば、図１の１１０）から手動または自動で調整することができる。棚は、１つまたは複数のモータ（図示せず）によって自動で調整することができる。
【００２９】
いくつかの実施形態は、知的造影剤加温器２０５と関連付けられたボトル追加／除去システム２１５を提供する。ボトル追加／除去システム２１５は、ボトル２５５を、単に、一方向で棚２３５上に置いたり、一方向（例えば、ボトル２５５を追加する方向とは異なる）で棚２３５から除去したりすることができるように、構成することができる。いくつかの実施形態では、一方向ボトル追加／除去システム２１５は、先入先出（ＦＩＦＯ）在庫制御システムを促進することができる。図２では、ボトル追加／除去システム２１５は、２つのゲート２２０、２２５を含むＵ形状のチャネルとして構成される。ボトル２５５は、ゲート２２５を通じて追加することができ、一方向（例えば、内向きに、知的造影剤加温器２０５の後部に向けて）にのみ移動して、追加を容易にしたり、Ｕ形状のチャネルのこちら側からのボトル２５５の除去を防止したりすることができる。ボトル２５５は、ゲート２２０を通じて除去することができ、一方向（例えば、外向きに、知的造影剤加温器２０５の前部に向けて）にのみ移動して、除去を容易にしたり、Ｕ形状のチャネルのこちら側からのボトル２５５の追加を防止したりすることができる。実施形態は、図２で描写されるＵ形状のボトル追加／除去システム２１５に限定されず、本明細書では、ＦＩＦＯ在庫制御システムを促進することが可能ないかなるボトル追加／除去システムも企図される。実施形態では、造影剤ボトル２２０は、約１２個のボトルを保持する段ボール箱などの箱に格納することができ、箱は、空になるまで知的造影剤加温器２０５内にとどまる。
【００３０】
知的造影剤加温器２０５は、当業者によって知られている加熱要素によって加熱することができる。あるいは、加熱要素は、知的造影剤加温器２０５およびその中に保管される内容物を保護するために１つまたは複数の安全装置と関連付けられるようにいくつかの実施形態に従って構成された内部ヒータ装置２５０を備え得る。例えば、内部ヒータ装置２５０は、ボトル２５５が保管される知的造影剤加温器２０５の内部領域から分離されたユニットに含まれているため、漏れや壊れたボトルは、内部ヒータ装置２５０に影響を及ぼすことはない。内部ヒータ装置２５０によって生成された熱は、１つまたは複数の循環用ファン２３０を介して、知的造影剤加温器２０５の保管空間内を循環することができる。いくつかの実施形態は、内部ヒータ装置２５０が、これらに限定されないが、過剰温度遮断および警告機能を含む、安全装置を含み、知的造影剤加温器２０５の保管空間を行き来する空気の温度を測定し、内部ヒータ装置２５０の表面温度に対する限度を設けることができると定めている。
【００３１】
表示デバイス２４０は、知的造影剤加温器２０５と関連付けることができる。いくつかの実施形態によれば、表示デバイス２４０は、知的造影剤加温器の情報および機能へのユーザアクセスを提供するように動作可能な知的造影剤加温器ユーザインターフェースを提示することができる。表示デバイス２４０は、情報にアクセスしたり、知的造影剤加温器ユーザインターフェースからアクセス可能な機能を処理したりするための適切なソフトウェアを実行するように構成されたコンピューティングデバイス（図示せず）と動作可能に結合することができる。それに加えて、知的造影剤加温器制御２１０の基本的なセットは、知的造影剤加温器２０５からアクセス可能であり得る。実施形態では、知的造影剤加温器制御２１０は、デジタル温度ディスプレイと、温度を増加または減少するためのボタンと、ヒータを停止させるためのボタンとを含み得る。
【００３２】
知的造影剤加温器２０５は、知的造影剤加温器２０５への無許可のアクセスを防止するように構成された錠２４５を含み得る。錠２４５は、電子信号、バイオメトリックデバイス（例えば、指紋）、機械的なロック／アンロック方法（例えば、錠と鍵メカニズム）またはそれらのいくつかの組合せを使用してロック／アンロックすることができる。例えば、実施形態では、ロック／アンロック機能は、表示デバイス２４０上に提示された知的造影剤加温器ユーザインターフェースからアクセスすることができる。この実施形態では、ユーザは、知的造影剤加温器２０５をロック／アンロックすることを選択することができ、ユーザ名およびパスワードなどのセキュリティ証明を入力するためのログインユーザインターフェースが提示され得る。正しいセキュリティ証明の入力に応答して、ロック／アンロック機能は、ロック／アンロック信号を錠２４５に伝送させ、知的造影剤加温器２０５をロック／アンロックするように動作することができる。
【００３３】
図３は、いくつかの実施形態による、例示される造影剤ボトルラベルについて描写する。図３に示されるように、１つまたは複数の造影剤ラベル３１０、３１５、３２０は、造影剤情報を造影剤ボトル３０５と関連付けるため、造影剤ボトル３０５に貼付することができる。造影剤情報の非限定的な例は、造影剤のタイプ、濃度、製造業者、製造業者による指示、ロット番号、シリアル番号、作成日、有効期限、知的造影剤加温器に追加された日付および時間、知的造影剤加温器から除去された日付および時間、除去時の造影剤の温度、「〜時間後には使用しないでください」という表示（例えば、除去から４時間後）、病院情報、各科情報、医師情報、医療処置情報、医用画像情報、自動注入情報、知的造影剤加温器識別子および医師診療行為用語（ＣＰＴ）番号を含む。
【００３４】
実施形態は、造影剤情報を様々なタイプのラベル上に含めることができると定めている。ラベルの例示される非限定的な例は、テキストベースのラベル３１０、バーコードラベル３１５、または、ＲＦＩＤラベル３２０もしくはタグを含む。複数のラベルを含むいくつかの実施形態では、造影剤情報のすべてまたは実質的にすべてを各ラベル上に含めることができるか、またはその代替として、造影剤情報のある要素をあるラベルにのみ関連付けることができる。例えば、造影剤製造情報（例えば、ロット番号、作成日など）は、ＲＦＩＤラベル３２０と関連付けることができ、病院情報（例えば、診療科、画像診断検査、医師など）は、テキストベースのラベル３１０と関連付けることができ、知的造影剤加温器情報（例えば、追加された日付および時間、除去された日付および時間、有効期限など）は、バーコードラベル３１５と関連付けることができる。実施形態は、図３で描写されるようなテキストベースのラベル３１０、バーコードラベル３１５またはＲＦＩＤラベル３２０に限定されず、本明細書では、造影剤情報と関連付けることが可能ないかなるラベルも企図される。
【００３５】
図４は、いくつかの実施形態による、例示される知的造影剤加温器ユーザインターフェースについて描写する。知的造影剤加温器ユーザインターフェース４１０は、表示デバイス４０５上に提示することができる。実施形態は、とりわけ、情報へのアクセス、ユーザコマンドの処理、データの送受信および知的造影剤加温器ユーザインターフェース４１０の管理を行うように構成されたソフトウェアを実行するコンピューティングデバイスと表示デバイス４０５を動作可能に結合することができると定めている。いくつかの実施形態によれば、ソフトウェアは、コンピューティングデバイスプロセッサ上で実行されると、情報の管理、知的造影剤加温器システムの電子およびコンピューティングデバイスとの通信、ユーザコマンドの処理、ならびに、知的造影剤加温器ユーザインターフェース４１０から選択された機能の実行を行うように動作するという命令を含む、知的造影剤加温器システムのソフトウェアを含み得る。
【００３６】
図４に示されるように、知的造影剤加温器ユーザインターフェース４１０は、１つまたは複数の知的造影剤加温器と関連付けられた情報を表示するように構成されたグラフィカルユーザインターフェース（ＧＵＩ）要素を含み得る。例えば、知的造影剤加温器ユーザインターフェース４１０は、知的造影剤加温器温度４１５、知的造影剤加温器に保管されたボトルのボトル番号４２０およびボトルの有効期限４２５を含む情報を表示することができる。実施形態では、情報４１５、４２０、４２５を表示するように構成されたＧＵＩ要素は、１つまたは複数の基準に基づいて情報を異なる形で表示するように構成することができる。例えば、温度が仕様範囲外であれば、温度ＧＵＩ要素４１５は、点滅する赤のフォントで温度を提示することができる。別の例では、ボトルが期限切れからある閾値日数内である場合、有効期限ＧＵＩ要素４２５は、異なる色で有効期限を提示することができる。
【００３７】
知的造影剤加温器ユーザインターフェース４１０は、英数字キーおよび記号キーなどのデータ入力のための仮想キーおよびボタンを含むデータ入力ＧＵＩ要素４３５を含み得る。機能ウィンドウ４３０は、知的造影剤加温器ユーザインターフェース４１０と関連付けられた情報および／または機能のためのインターフェースを提供するように構成することができる。例えば、機能ウィンドウ４３０は、ユーザ名およびパスワードを入力するためのインターフェースを提供することができる。別の例では、機能ウィンドウ４３０は、造影剤ボトルの在庫情報などの要求された情報を提示することができる。さらなる例では、機能ウィンドウ４３０は、情報リーダによってスキャンされたボトルラベルの造影剤情報を提示することができる。
【００３８】
知的造影剤加温器ユーザインターフェース４１０は、知的造影剤加温器および／または知的造影剤加温器システムの情報および機能にアクセスするためのＧＵＩ要素を含み得る。印刷ＧＵＩ要素４４０は、ユーザが造影剤ボトルのラベルを印刷できるように構成することができる。除去および追加ＧＵＩ要素４４５、４５０は、図５および図６を参照してさらに詳細に説明されるように、知的造影剤加温器からボトルを除去したり、知的造影剤加温器にボトルを追加したりするための機能性を提供することができる。
【００３９】
ロック／アンロックＧＵＩ要素４５５は、知的造影剤加温器をロック／アンロックするためのプロセスを開始することができる。例えば、機能ウィンドウ４３０は、ロック／アンロックＧＵＩ要素４５５を選択するユーザに応答して、ユーザ名およびパスワード入力画面を提示することができる。ユーザは、データ入力ＧＵＩ要素４３５を使用して、ユーザ名およびパスワードを入力することができる。実施形態では、知的造影剤加温器システムは、例えば、知的造影剤加温器システムソフトウェアによって知的造影剤加温器ロック／アンロックデバイスに伝送されたアンロック信号を通じて、許可されたユーザ名およびパスワードの入力に応答して、知的造影剤加温器を自動でアンロックすることができる。
【００４０】
知的造影剤加温器の棚の位置（例えば、高さ）は、棚調整ＧＵＩ要素４６０を使用して、知的造影剤加温器ユーザインターフェース４１０から調整することができる。実施形態では、機能ウィンドウ４３０は、棚調整ＧＵＩ要素４６０の選択に応答して棚の移動を容易にするように構成されたユーザインターフェースを提示することができる。ユーザは、警報ＧＵＩ要素４６５を介して、知的造影剤加温器および／または知的造影剤加温器システムと関連付けられた警報にアクセスすることができる。実施形態では、機能ウィンドウ４３０は、警報ＧＵＩ要素４６５の選択に応答して警報を提示するように構成されたユーザインターフェースを提示することができる。警報の非限定的な例は、範囲外の温度状態、無許可のアクセスの試み、通信障害、少ない在庫、期限切れの造影剤および期限切れに近い造影剤を含む。いくつかの実施形態によれば、警報は、Ｅメールまたはショートメッセージシステム（ＳＭＳ）メッセージを通じてなど、電子的にネットワーク内で追加的に伝達することができる。
【００４１】
知的造影剤加温器と関連付けられた造影剤ボトルの在庫は、在庫ＧＵＩ要素４７０を使用してアクセスすることができる。いくつかの実施形態は、在庫ＧＵＩ要素４７０の選択に応答して機能ウィンドウ４３０上に在庫情報を表示することができると定めている。在庫情報は、これらに限定されないが、利用可能な造影剤ボトルの総数、期限切れの造影剤ボトル、期限切れに近い造影剤ボトル、造影剤ボトルの有効期限および造影剤のタイプを含み得る。知的造影剤加温器ユーザインターフェース４１０は、ユーザが知的造影剤加温器ユーザインターフェース４１０および／または知的造影剤加温器システムのオペレータとしてログインできるように構成されたオペレータＧＵＩ要素４７５を含み得る。実施形態では、オペレータＧＵＩ要素４７５は、造影剤ボトルの除去または追加などの造影剤ボトルまたは事象と医師を関連付けるための機能を提供することができる。
【００４２】
実施形態では、在庫管理システムは、知的造影剤加温器および／または知的造影剤加温器システムと関連付けられた造影剤ボトルの在庫を管理するように構成することができる。いくつかの実施形態によれば、在庫管理システムは、知的造影剤加温器システム内でアクセス可能なコンピューティングデバイス上で動作するソフトウェアを含み得る。
【００４３】
在庫管理システムは、造影剤ボトルおよびそれと関連付けられた造影剤情報を追跡することができる。例えば、在庫管理システムは、知的造影剤加温器に追加されたり、知的造影剤加温器から除去されたりしたボトル、造影剤ボトルが知的造影剤加温器に保管された時間の長さを追跡すること、既定の間隔で（例えば、およそ５分ごとに、およそ１時間に１回、およそ１日に１回など）知的造影剤加温器内の温度を記録すること、データベース（例えば、温度ログ）に温度を格納すること、ならびに、造影剤ボトルおよび知的造影剤加温器に関連する警告を生成することができる。実施形態では、警告は、造影剤ボトルの数が既定の閾値未満まで低下した際、知的造影剤加温器に造影剤ボトルを返した（ＴＪＣ規格に反して）、造影剤ボトルが期限切れとなった際（ＴＪＣ規格は、３０日間を超えて造影剤を造影剤加温器に入れたままにしておくことはできないと指定している）、および、造影剤ボトルが既定の閾値時間量（例えば、約３日間、約２日間、約１日など）内にある際に生成することができる。
【００４４】
実施形態では、在庫管理システムによって管理される在庫情報は、知的造影剤加温器システムおよび／またはそれと関連付けられたネットワークと関連付けられたコンピューティングデバイスからアクセスすることができる。例えば、在庫情報は、知的造影剤加温器システムを通じてアクセス可能なデータベースに格納することができる。いくつかの実施形態によれば、コンピューティングデバイスは、ウェブサイトまたは他のウェブベースのアプリケーションを通じて在庫情報にアクセスすることができる。他のある実施形態は、在庫情報は、知的造影剤加温器システムおよび／または在庫情報へのアクセスを有する他の病院情報システムと連通する知的造影剤加温器システムアプリケーション、クライアントアプリケーションまたはモバイルアプリケーション（例えば、「モバイルアプリ」または「アプリ」）などのアプリケーションを通じてアクセスすることができると定めている。
【００４５】
図５は、本明細書で説明される少なくともいくつかの実施形態に従って構成された、知的造影剤加温器に造影剤ボトルを追加するための例示される方法のためのフロー図について描写する。図５の例示される方法は、例えば、上記で説明され、図１で描写される１つもしくは複数のコンピューティングデバイス１１０、１３０、１３５、１４０、および／または、図８で描写され、以下でさらに詳細に説明されるコンピューティングデバイス８００によって実行することができる。それに加えて、図５の例示される方法は、ブロック５０５、５１０、５１５、５２０、５２５、５３０、５３５、５４０および／または５４５のうちの１つまたは複数によって示されるような１つまたは複数の動作、機能または措置を含み得る。また、ブロック５０５〜５４５で説明される動作は、コンピュータ実行可能命令としてコンピュータ可読媒体（図８で描写されるコンピューティングデバイス８００のシステムメモリ８１０、８１５、８２５など）に格納することもできる。個別に順序付けされたブロックとして示されているが、様々なブロックは、所望の実装形態に応じて、追加のブロックに分割すること、組み合わせてより少ないブロックにすること、または、排除、除去および並べ替えを行うことができる。
【００４６】
ブロック５０５に始まり、コンピューティングデバイスは、知的造影剤加温器ユーザインターフェースから「追加」という選択情報を受信することができる。例えば、コンピューティングデバイスは、ユーザが知的造影剤加温器ユーザインターフェース上の「追加」ＧＵＩ要素を選択したことを示す入力を受信することができる。
【００４７】
ブロック５１０では、コンピューティングデバイスは、知的造影剤加温器に造影剤を追加するためのユーザインターフェースを提示することができる。例えば、「造影剤を追加する」という画面は、知的造影剤加温器への造影剤の追加を容易にするための知的造影剤加温器ユーザインターフェースから見ることができる。実施形態では、「造影剤を追加する」という画面は、ユーザ名およびパスワード、造影剤情報、ならびに、知的造影剤加温器への造影剤の追加と関連付けられた他の情報を入力するための要素を含み得る。
【００４８】
ブロック５１５では、コンピューティングデバイスは、造影剤情報を受信することができる。例えば、ユーザは、コンピューティングデバイスと通信可能に結合された情報リーダを使用して（例えば、直接、ネットワークを通じてなど）、造影剤ボトルに貼付されたラベルをスキャンすることができる。別の例では、ユーザは、知的造影剤加温器ユーザインターフェースのデータ入力コンポーネントを使用して、造影剤ボトルと関連付けられた造影剤情報のすべてまたは一部を手動で入力することができる。さらなる例では、ユーザは、コンピューティングデバイスへの伝送のため、データベースまたは他の情報ストアから造影剤情報にアクセスすることができる。コンピューティングデバイスに伝送された造影剤情報は、造影剤ボトルと関連付けて、知的造影剤加温器ユーザインターフェース上に表示することができる。
【００４９】
実施形態では、コンピューティングデバイスは、ユーザが以前に知的造影剤加温器から除去された造影剤の補充を試みているか、または、期限切れの造影剤の追加を試みていると判断した場合（例えば、知的造影剤加温器ソフトウェアアプリケーションを介して）に警報を生成するように動作することができる。コンピューティングデバイスは、受信された造影剤情報に基づいて造影剤ボトルの状態を決定することができる。別の実施形態では、コンピューティングデバイスは、造影剤の補充および／または期限切れのもしくは期限切れに近い（例えば、製造日に基づいて閾値日数内に期限切れとなる）造影剤の追加を防止するプロセスを開始することができ、これらに限定されないが、ドアをロックすること、ユーザをログアウトすること、および、ラベル印刷ができない状態にすることを含む。
【００５０】
ブロック５２０では、コンピューティングデバイスは、１つまたは複数の造影剤ラベルを生成することができる。例えば、知的造影剤加温器ユーザインターフェースからの「印刷」機能の選択は、コンピューティングデバイスおよび／またはコンピューティングデバイスからアクセス可能なネットワークと連通する１つまたは複数のプリンタに造影剤情報を送信することができる。プリンタは、造影剤情報のいくつかまたはすべてを含むラベルを印刷することができる。例えば、ＲＦＩＤプリンタは、ＲＦＩＤラベルに対して指定された造影剤情報を含むＲＦＩＤラベルを印刷することができ、バーコードプリンタは、バーコードラベルに対して指定された造影剤情報を含むバーコードラベルを印刷することができ、テキストベースのプリンタは、テキストベースのラベルに対して指定された造影剤情報を含むテキストベースのラベルを印刷することができ、それらの組合せが可能である。
【００５１】
ブロック５２５では、コンピューティングデバイスは、知的造影剤加温器のアンロックを容易にすることができる。例えば、知的造影剤加温器ユーザインターフェースは、知的造影剤加温器をアンロックするためのユーザインターフェースを提供することができる。ドアをアンロックするためのユーザインターフェースは、ユーザ名、パスワードおよびアンロック要素（例えば、知的造影剤加温器の選択、アンロックの確認など）を表示することができる。
【００５２】
ブロック５３０では、コンピューティングデバイスは、知的造影剤加温器に造影剤ボトルが追加されたことを示す情報を受信することができる。例えば、ユーザは、知的造影剤加温器ユーザインターフェースで、知的造影剤加温器に造影剤ボトルが追加されたことを確認する選択を入力することができる。別の例では、コンピューティングデバイスは、知的造影剤加温器ユーザインターフェースへの造影剤ボトルの追加を知覚するように構成された電子デバイスからなど、造影剤ボトルが追加されたことを示す知的造影剤加温器から情報を自動で受信することができる。例えば、電子デバイスは、コンピューティングデバイスと連通する電子眼または測量デバイスを含み得る。
【００５３】
ブロック５３５では、コンピューティングデバイスは、知的造影剤加温器のロックを容易にすることができる。例えば、知的造影剤加温器ユーザインターフェースは、知的造影剤加温器をロックするためのユーザインターフェースを提供することができる。ドアをロックするためのユーザインターフェースは、ユーザ名、パスワードおよびアンロック要素（例えば、知的造影剤加温器の選択、アンロックの確認など）を表示することができる。別の例では、知的造影剤加温器は、コンピューティングデバイスからの介入なしで閉められた際に自動でロックすることができる。この例では、知的造影剤加温器ユーザインターフェースは、ドアをロックするために使用される電子ロックメカニズムからドアが閉められたという情報を受信することができる。
【００５４】
ブロック５４０では、コンピューティングデバイスは、造影剤ボトルの在庫情報を更新することができる。例えば、知的造影剤加温器に追加されたボトルに対する造影剤情報は、コンピューティングデバイスがアクセス可能なデータベースまたは他のデータリポジトリに追加することができる。実施形態では、在庫情報は、本明細書で説明されるように、在庫管理システムに伝送することができる。
【００５５】
ブロック５４５では、コンピューティングデバイスは、造影剤ボトル情報を監視することができる。例えば、知的造影剤加温器システムアプリケーションは、知的造影剤加温器温度、造影剤ボトルの在庫および有効期限を含む情報を監視するように動作することができる。情報は、知的造影剤加温器の動作規格（例えば、ＴＪＣ）のコンプライアンスを容易にするために知的造影剤加温器システム内で使用することができる。
【００５６】
図６は、本明細書で説明される少なくともいくつかの実施形態に従って構成された、知的造影剤加温器から造影剤ボトルを除去するための例示される方法のためのフロー図について描写する。図６の例示される方法は、例えば、上記で説明され、図１で描写される１つもしくは複数のコンピューティングデバイス１１０、１３０、１３５、１４０、および／または、図８で描写され、以下でさらに詳細に説明されるコンピューティングデバイス８００によって実行することができる。それに加えて、図６の例示される方法は、ブロック６０５、６１０、６１５、６２０、６２５、６３０、６３５および／または６４０のうちの１つまたは複数によって示されるような１つまたは複数の動作、機能または措置を含み得る。また、ブロック６０５〜６４０で説明される動作は、コンピュータ実行可能命令としてコンピュータ可読媒体（図８で描写されるコンピューティングデバイス８００のシステムメモリ８１０、８１５、８２５など）に格納することもできる。個別に順序付けされたブロックとして示されているが、様々なブロックは、所望の実装形態に応じて、追加のブロックに分割すること、組み合わせてより少ないブロックにすること、または、排除、除去および並べ替えを行うことができる。
【００５７】
ブロック６０５に始まり、コンピューティングデバイスは、知的造影剤加温器ユーザインターフェースから「除去」という選択情報を受信することができる。例えば、コンピューティングデバイスは、ユーザが知的造影剤加温器ユーザインターフェース上の「除去」ＧＵＩ要素を選択したことを示す入力を受信することができる。
【００５８】
ブロック６１０では、コンピューティングデバイスは、知的造影剤加温器から造影剤を除去するためのユーザインターフェースを提示することができる。例えば、「造影剤を除去する」という画面は、知的造影剤加温器からの造影剤の除去を容易にするための知的造影剤加温器ユーザインターフェースから見ることができる。実施形態では、「造影剤を除去する」という画面は、ユーザ名およびパスワード、造影剤情報、ならびに、知的造影剤加温器からの造影剤の除去と関連付けられた他の情報を入力するための要素を含み得る。
【００５９】
ブロック６１５では、コンピューティングデバイスは、知的造影剤加温器のアンロックを容易にすることができる。例えば、知的造影剤加温器ユーザインターフェースは、知的造影剤加温器をアンロックするためのユーザインターフェースを提供することができる。ドアをアンロックするためのユーザインターフェースは、ユーザ名、パスワードおよびアンロック要素（例えば、知的造影剤加温器の選択、アンロックの確認など）を表示することができる。
【００６０】
ブロック６２０では、コンピューティングデバイスは、造影剤情報を受信することができる。例えば、ユーザは、コンピューティングデバイスと通信可能に結合された情報リーダを使用して（例えば、直接、ネットワークを通じてなど）、造影剤ボトルに貼付されたラベルをスキャンすることができる。別の例では、ユーザは、知的造影剤加温器ユーザインターフェースのデータ入力コンポーネントを使用して、造影剤ボトルと関連付けられた造影剤情報のすべてまたは一部を手動で入力することができる。さらなる例では、ユーザは、コンピューティングデバイスへの伝送のため、データベースまたは他の情報ストアから造影剤情報にアクセスすることができる。さらに、さらなる例では、造影剤ボトルがＦＩＦＯ知的造影剤加温器に追加された順番に基づいて、造影剤情報のすべてまたは一部を入手することができる。知的造影剤加温器システムは造影剤ボトルの在庫を監視するため、知的造影剤加温器システムは、造影剤ボトルが知的造影剤加温器に追加された順番に基づいて、ＦＩＦＯ知的造影剤加温器内でのボトルの位置を把握することができる。コンピューティングデバイスに伝送された造影剤情報は、造影剤ボトルと関連付けることができる。
【００６１】
ブロック６２５では、コンピューティングデバイスは、知的造影剤加温器から造影剤ボトルが除去されたことを示す情報を受信することができる。例えば、ユーザは、知的造影剤加温器ユーザインターフェースで、知的造影剤加温器から造影剤ボトルが除去されたことを確認する選択を入力することができる。別の例では、コンピューティングデバイスは、知的造影剤加温器ユーザインターフェースからの造影剤ボトルの除去を知覚するように構成された電子デバイスからなど、造影剤ボトルが除去されたことを示す知的造影剤加温器から情報を自動で受信することができる。例えば、電子デバイスは、コンピューティングデバイスと連通する電子眼または測量デバイスを含み得る。
【００６２】
ブロック６３０では、コンピューティングデバイスは、知的造影剤加温器のロックを容易にすることができる。例えば、知的造影剤加温器ユーザインターフェースは、知的造影剤加温器をロックするためのユーザインターフェースを提供することができる。ドアをロックするためのユーザインターフェースは、ユーザ名、パスワードおよびアンロック要素（例えば、知的造影剤加温器の選択、アンロックの確認など）を表示することができる。別の例では、知的造影剤加温器は、コンピューティングデバイスからの介入なしで閉められた際に自動でロックすることができる。この例では、知的造影剤加温器ユーザインターフェースは、ドアをロックするために使用される電子ロックメカニズムからドアが閉められたという情報を受信することができる。
【００６３】
ブロック６３５では、コンピューティングデバイスは、造影剤ボトルの在庫情報を更新することができる。例えば、知的造影剤加温器から除去されたボトルに対する造影剤情報は、コンピューティングデバイスがアクセス可能なデータベースまたは他のデータリポジトリに追加することができる。実施形態では、在庫管理システムは、知的造影剤加温器および／または知的造影剤加温器システムと関連付けられた造影剤ボトルの在庫を管理するように構成することができる。
【００６４】
ブロック６４０では、コンピューティングデバイスは、造影剤ボトル情報を監視することができる。例えば、知的造影剤加温器システムアプリケーションは、知的造影剤加温器温度、造影剤ボトルの在庫および有効期限を含む情報を監視するように動作することができる。情報は、知的造影剤加温器の動作規格（例えば、ＴＪＣ）のコンプライアンスを容易にするために知的造影剤加温器システム内で使用することができる。
【００６５】
造影剤ボトルが知的造影剤システムから除去された後、ユーザは、他の様々なシステムで造影剤を使用することができる。例えば、造影剤ボトルは、自動造影剤注入システムで使用することができる。造影剤情報は、造影剤ボトルラベルから（情報リーダを通じてなど）、手動データ入力で、または、知的造影剤加温器システムもしくは他の情報システムを通じてアクセスすることによって、入手することができる。次いで、造影剤情報は、送達または患者のケアの質を向上させるために使用することができる。例えば、造影剤情報は、患者記録に追加すること、患者のアレルギーおよび／または矛盾がないかどうかチェックするために使用すること、自動造影剤注入システムの圧力選択または流量選択を行うために使用すること、ＣＴ検査の間の造影剤の正確な個人ごとに異なる送達のためにＭｅｄｒａｄ，Ｉｎｃ．によって開発された個人向け患者プロトコル（ｐｅｒｓｏｎａｌｉｚｅｄ  ｐａｔｉｅｎｔ  ｐｒｏｔｏｃｏｌ）技術（Ｐ３Ｔ（登録商標））などの手順プロトコルを調整するために使用することができる。
【００６６】
図７は、いくつかの実施形態に従って構成された例示される造影剤ホルダについて描写する。図７に示されるように、知的造影剤加温器システム７００は、診断検査などの医療処置に使用されている造影剤を保持するように構成された造影剤ホルダ７１０を備え得る。したがって、造影剤ホルダ７１０は、検査室において患者の近くに位置し得る。非限定的な例では、造影剤ホルダ７１０は、造影剤ホルダが自動注入システムの注射器またはカートリッジなどの注入器７２０と流体連通できるように注入器に接続された造影剤のボトルを保持するボトルハンガ構成で構成することができる。このように、造影剤のボトルまたはその内容物は、造影剤加温器７０５に保管されて造影剤ホルダ７１０に入れられた造影剤などの造影剤の在庫から入手することができる。次いで、造影剤は、手動または自動注入プロセスを通じて患者に送達することができる。
【００６７】
いくつかの実施形態によれば、生理食塩水（図示せず）容器を追加的に温めて、造影剤ホルダ７１０に吊り下げることができる。実施形態では、生理食塩水容器は、識別および／または追跡目的で利用できるＩＤタグを含み得る。
【００６８】
図７では、造影剤ホルダ７１０は、健康情報システムまたは図１で描写されるネットワーク１２５などの他のネットワークと連通している。造影剤ホルダ７１０は、健康情報ネットワークから、本明細書で説明される実施形態に従って造影剤加温器７０５と関連付けられた情報を含む、その中に保管された造影剤についての情報を入手することができる。例示される情報は、造影剤（または、他の薬品）についてのデータおよび提示（例えば、梱包）情報を含む。実施形態では、造影剤ホルダ７１０は、例えば、造影剤ボトルまたはその中に保管された造影剤についての情報を提供するように動作することができるセンサなどの１つまたは複数のセンサを備え得る。例えば、センサは、レベルセンサおよび温度センサを含み得る。造影剤ホルダ７１０は、本明細書の実施形態に従って説明されるように、その中に保管された内容物を加熱するための内蔵加熱要素と、造影剤ボトルに貼付されたラベルから情報をスキャンするための情報リーダ（ＲＦＩＤリーダなど）とを有し得る。
【００６９】
いくつかの実施形態によれば、知的造影剤加温器システム７００およびそのコンポーネント（例えば、造影剤ホルダ７１０、造影剤加温器７０５など）は、注入器７２０などの注入システムからデータを受信することができる。例示されるデータは、これらに限定されないが、送達された造影剤および／または生理食塩水の実際の量、患者情報、有害事象、ならびに、注入器の動作と関連付けられた他のデータを含む。
【００７０】
図７に示されるように、造影剤注入器ユーザインターフェースまたは制御室ユニット７２５は、造影剤注入器「ヘッド」／スキャン室ユニット７２０など、知的造影剤システム７００のコマンドおよび制御機能を提供することができる。例えば、造影剤注入器ユーザインターフェースまたは制御室ユニット７２５は、造影剤ホルダ７１０の内容物の注入を開始するため、または、造影剤ホルダの内容物の温度をチェックするための機能を提供することができる。
【００７１】
造影剤注入器ユーザインターフェースまたは制御室ユニット７２５は、医療診断検査（）を実行するように動作するスキャナ７１５（ＣＴスキャナなど）と連通することができる。ネットワーク（例えば、図１のネットワーク１２５、ローカルネットワーク、直接通信リンクまたはそれらの組合せ）を通じて、造影剤ホルダ７１０は、例えば、造影剤注入器ユーザインターフェースもしくは制御室ユニット７２５、スキャナ７１５、または、それと連通する健康情報ネットワーク（例えば、患者記録を通じて）から、流体および検査についての情報を受信することができる。
【００７２】
図８は、実施形態に従って上記で図５および図６を参照して論じられるプロセスステップなど、プログラム命令を含めるかまたは実装するために使用することができる、いくつかの実施形態による、例示されるコンピューティングデバイス内部のハードウェアについて描写する。コンピューティングデバイス８００は、ハードウェアの他の例示されるコンポーネントを相互接続する主要な情報ハイウェイとして機能するバス８６０を含み得る。ＣＰＵ  ８０５は、システムの中央演算処理装置であり、プログラムの実行に必要な計算および論理演算を実行する。ＣＰＵ  ８０５は、単独でまたは図８で開示される他の要素のうちの１つもしくは複数と併せて、そのような用語がこの開示内で使用されるように、例示的な処理デバイス、コンピューティングデバイスまたはプロセッサである。読み取り専用メモリ（ＲＯＭ）８１０およびランダムアクセスメモリ（ＲＡＭ）８１５は、例示的なメモリデバイス（すなわち、非一時的なプロセッサ可読記憶媒体）を構成する。
【００７３】
コントローラ８２０は、システムバス８６０に向けて１つまたは複数の任意選択のメモリデバイス８２５とインターフェースを取る。これらのメモリデバイス８２５は、例えば、外部もしくは内部のＤＶＤドライブ、ＣＤ−ＲＯＭドライブ、ハードドライブ、フラッシュメモリ、ＵＳＢドライブまたは同様のものを含み得る。以前に示されるように、これらの様々なドライブおよびコントローラは、任意選択のデバイスである。
【００７４】
インターフェースを提供したり、１つまたは複数のデータセットと関連付けられたクエリまたは分析を実行したりするためのプログラム命令、ソフトウェアまたは対話型モジュールは、ＲＯＭ  ８１０および／またはＲＡＭ  ８１５に格納することができる。任意選択により、プログラム命令は、コンパクトディスク、デジタルディスク、フラッシュメモリ、メモリカード、ＵＳＢドライブ、光ディスク記憶媒体（Ｂｌｕ−ｒａｙ（登録商標）ディスクなど）および／または他の非一時的な記憶媒体などの有形のコンピュータ可読媒体上に格納することができる。
【００７５】
任意選択の表示インターフェース８３０は、音声、視覚、グラフまたは英数字フォーマットにおける、ディスプレイ８３５上での、バス８６０からの情報の表示を許可することができる。印刷デバイスなどの外部のデバイスとの通信は、様々な通信ポート８４０を使用して起こすことができる。例示的な通信ポート８４０は、インターネットまたはイントラネットなどの通信ネットワークに取り付けることができる。
【００７６】
また、ハードウェアは、キーボード８５０または他の入力デバイス８５５（マウス、ジョイスティック、タッチスクリーン、リモートコントロール、ポインティングデバイス、ビデオ入力デバイスおよび／または音声入力デバイスなど）などの入力デバイスからのデータの受信を可能にするインターフェース８４５も含み得る。
【００７７】
さらなる分析がなくても、前述が、あまりにも完全にこれらの実施形態の本質を明らかにするため、他の者は、現知識を適用することによって、先行技術の視点から、本明細書で開示される実施形態の一般的なまたは特定の態様の特性のかなりの部分を構成する特徴を省略することなく、様々なアプリケーションに対してそれを容易に適合させることができる。
【００７８】
本明細書で特に明記しない限り、これまで説明されてきたすべてのコンポーネントおよび／またはプロセスは、適切な場合、反対の明確な記載がない限り、本明細書の他の場所で開示される同様のコンポーネントおよび／またはプロセスと交換可能であると見なすことができると想定することができる。
【００７９】
上記で開示される様々な他の特徴や機能またはその代替形態は、他の多くの異なるシステムまたはアプリケーションに望ましく組み合わせることができることが理解されよう。また、当業者は、現在予期せぬまたは予想外の様々な代替、変更、変形またはその改善をその後に行うことができ、それらが、開示される実施形態によって包含されることが意図されることも理解されよう。
【符号の説明】
【００８０】
１０５  知的造影剤加温器システム
１１０  表示デバイス
１１５  情報リーダ
１２０  プリンタ
１２５  ネットワーク
１３０  パーソナルコンピューティングデバイス
１４５  造影剤ボトル
１５０  知的造影剤加温器
１５５  造影剤ボトル
１６０  温度センサ
２０５  知的造影剤加温器
２１０  知的造影剤加温器制御
２２５  ゲート
２３０  循環用ファン
２３５  棚
２４０  表示デバイス
２４５  錠
２５０  内部ヒータ装置
２５５  造影剤ボトル
【図１】
2016511028.tif 000003
【図２】
2016511028.tif 000004
【図３】
2016511028.tif 000005
【図４】
2016511028.tif 000006
【図５】
2016511028.tif 000007
【図６】
2016511028.tif 000008
【図７】
2016511028.tif 000009
【図８】
2016511028.tif 000010
【国際調査報告】
2016511028.tif 000011
2016511028.tif 000012
2016511028.tif 000013